(57)【特許請求の範囲】
【請求項１】
シガレット束を内包紙により包み込んだインナパックと、
前記インナパックを気密に収容した開閉可能な内箱と、
前記内箱を収容するヒンジリッドタイプの外箱であって、この外箱の内面と前記内箱との間に収納スペースを確保する外箱と、
前記収納スペースに前記外箱から取出し可能に収納された印刷物品と
を備え、
前記外箱は、前記内箱及び前記印刷物品の回りに紙製のアウタブランクを折り込んで形成され、上端が開口された箱ボディと、この箱ボディの前記開口を開閉するヒンジリッドとを含み、
前記箱ボディは、前壁、外側部分及び内側部分を有した二重構造の左右の側壁、後壁及び底壁を有し、
前記収納スペースは、前記前壁、前記側壁の内側部分の折曲部、前記底壁及び前記内箱の前面により区画されており、
前記折曲部は、前記収納スペースのサイドを規定し、前記印刷物品に向けて折り曲げられていることを特徴とするシガレットパッケージ。
【請求項２】
前記内箱は、インナパックの回りに折り込まれるインナブランクを含み、このインナブランクは、ヒートシール可能であるとともにシガレット束からの芳香や風味の成分に対して遮蔽性を有することを特徴とする請求項１に記載のシガレットパッケージ。
【請求項３】
前記インナブランクは、アルミニウムからなる遮蔽層と、この遮蔽層の両面に形成され、シートシール可能な樹脂層とを含むことを特徴とする請求項２に記載のシガレットパッケージ。
【請求項４】
前記内側部分は、前記折曲部を区画する折込み線を更に有し、前記折曲部は前記アウタブランクの折込みの際に前記折込み線に沿って折り曲げられることを特徴とする請求項１に記載のシガレットパッケージ。
【請求項５】
前記収納スペースに配置された多数の芳香カプセルを更に含み、これら芳香カプセルは、前記外箱から前記印刷物品が取り出されたときに破れ、芳香及び風味の成分を放出することを特徴とする請求項１に記載のシガレットパッケージ。
【請求項６】
前記芳香カプセルは、前記外箱の内面及び前記印刷物品の双方に接着剤により接着され、この接着剤は、前記外箱から前記印刷物品が取り出されたとき、前記芳香カプセルを破断させることを特徴とする請求項５に記載のシガレットパッケージ。
【請求項７】
前記印刷物品は、折畳み状態にある印刷紙であることを特徴とする請求項１に記載のシガレットパッケージ。
【発明の詳細な説明】
【技術分野】
【０００１】
本発明は、広告媒体、喫煙説明書、クーポン等の印刷物品を備えたシガレットパッケージに関する。
【背景技術】
【０００２】
この種のシガレットパッケージは、例えば特表2002-516237号公報に開示されている。この公報のシガレットパッケージは印刷物品としてのクーポンを備えており、このクーポンはシガレットパッケージのアウタケーシングと、このアウタケーシングを包み込む透明フィルムとの間に配置されている。
【０００３】
上記公報のアウタケーシングは、インナパックを包み込むアウタラッパにより形成されており、そして、インナパックはシガレット束と、このシガレット束を包み込むアルミ蒸着紙等のインナラッパとを含む。【０００４】
上述したラッパは、インナパック又はシガレット束の対象物品の回りにそれぞれ折り込まれ、アウタケーシング又はインナパックを形成する。上述したラッパの折込みは、互いに重ね合わされるラップ部を形成する。これらラップ部は互いに部分的に接着されているだけであるので、アウタケーシング及びインナパックは多数の隙間を有する。【０００５】
アウタケーシングと透明フィルムとの間に配置されているクーポンは印刷物であるから、クーポンからのインク臭がアウタケーシング及びインナパックの隙間を通じてシガレット束、即ち、シガレットやフィルタシガレットに移ってしまい、これらシガレットの本来の芳香や風味が損なわれる。【０００６】
クーポンはアウタケーシングの外表面の一部を覆っているから、アウタラッパの外表面に印刷された情報は消費者に認知され難い。【０００７】
上述の不具合は前記公報のソフトパッケージのみならず、ヒンジリッドタイプのハードパッケージにも同様に発生する。【０００８】
本発明の目的は、クーポン等の印刷物品から発生するインク臭がシガレット束の品質を悪化させることがなく、また、印刷物品がシガレットパッケージの外面を覆うこともないシガレットパッケージを提供することにある。
【発明の開示】
【０００９】
上記の目的を達成するため、本発明のシガレットパッケージ（請求項１）は、シガレット束を内包紙により包み込んだインナパックと、このインナパックを気密に収容した開閉可能な内箱と、内箱を収容するヒンジリッドタイプの外箱であって、この外箱の内面と前記内箱との間に収納スペースを確保する外箱と、収納スペースに外箱から取出し可能に収納された印刷物品とを備える。
詳しくは、外箱は、内箱及び印刷物品の回りに紙製のアウタブランクを折り込んで形成され、上端が開口された箱ボディと、この箱ボディの前記開口を開閉するヒンジリッドとを含み、箱ボディは前壁、外側部分及び内側部分を有した二重構造の左右の側壁、後壁及び底壁を有し、収納スペースは、前壁、側壁の内側部分の折曲部、底壁及び内箱の前面により区画され、折曲部は収納スペースのサイドを規定し、印刷物品に向けて折り曲げられている。
【００１０】
上述のシガレットパッケージによれば、先ず、外箱のリッドが開かれたとき、外箱から印刷物品が取出される。この後、内箱が開かれたとき、インナパック内からシガレット束の個々のシガレット又はフィルタシガレットの取出しが可能となる。
好ましくは、側壁の内側部分は、折曲部を区画する折込み線を更に有しており、折曲部はアウタブランクの折込みの際に折込み線に沿って折り曲げられる（請求項４）。この場合、アウタブランクを改作するだけで、外箱と内箱との間に印刷物品のための収納スペースが確保される。
【００１１】
インナパック、即ち、シガレット束は内箱内に密封状態にして収容されているから、印刷物品から発生したインク臭が内箱内に侵入することはない。それ故、シガレットパッケージの製造から内箱が最初に開かれるまでの間において、インク臭がシガレット束に移ってしまうことはなく、シガレット束の品質は良好且つ長期に亘って維持可能となる。また、印刷物品は外箱内の収納スペースに収納されているから、印刷物品が外箱の外表面を覆い、外表面に印刷された情報を隠すことはない。
【００１２】
内箱はインナパックの回りに折り込まれるインナブランクを含み、このインナブランクは、ヒートシール可能であるとともにシガレット束からの芳香や風味の成分に対して遮蔽性を有する（請求項２）。具体的には、インナブランクは、アルミニウムからなる遮蔽層と、この遮蔽層の両面に形成され、シートシール可能な樹脂層とを含む（請求項３）。このようなインナブランクは、印刷物品から発生するインク臭が内箱内に侵入するのを阻止するばかりでなく、シガレット束から発生する芳香や風味の成分が内箱外に放出されてしまうことも阻止する。
【００１５】
更に、シガレットパッケージは、収納スペースに配置された多数の芳香カプセルを更に含むことができ、これら芳香カプセルは、外箱から前記印刷物品が取り出されたときに破れ、芳香及び風味の成分を放出する（請求項５）。好ましくは、芳香カプセルは、例えばシガレット束から発生する芳香や風味の成分と同様な芳香や風味の成分を放出する。この場合、喫煙者は内箱を開く前に、シガレット束から発生する芳香や風味を味わうことができる。
【００１６】
具体的には、芳香カプセルは、外箱の内面及び印刷物品の双方に接着剤により接着され、接着剤は、外箱から印刷物品が取り出されたとき、芳香カプセルを破断させる（請求項６）。
そして、印刷物品は、折り畳み状態にある印刷紙である（請求項７）。
【図面の簡単な説明】
【００１７】
【図１】一実施例のシガレットパッケージを示した斜視図である。
【図２】図１のシガレットパッケージ内の内箱を示した斜視図である。
【図３】図２の内箱を形成するインナブランクの断面図である。
【図４】図１のシガレットパッケージの断面図である。
【図５】図１の外箱を形成するアウタブランクの展開図である。
【図６】図５のアウタブランクの折込み過程を示した図である。
【図７】図６の状態からのアウタブランクの折込みを示した図である。
【図８】シガレットパッケージの変形例を示した図である。
【発明を実施するための最良の形態】
【００１８】
図１のシガレットパッケージはヒンジリッドタイプの外箱２を含み、外箱２は紙製のアウタブランクの折込みにより形成されている。外箱２は上端に開口を有した箱ボディ３と、箱ボディ３の開口を開閉するリッド４とを含む。リッド４は箱ボディ３の背面にセルフヒンジ６を介して接続され、セルフヒンジ６を中心として回動可能である。
【００１９】
シガレットパッケージは、外箱２を包み込む透明フィルムを含んでいてもよく、この場合、透明フィルムは開封テープを有する。【００２０】
外箱２内にはタングリッドタイプの内箱８が収容されており、更に、図２に示されるように、内箱８はその内部にインナパック１０を密封状態にして収容している。インナパック１０は、例えば２０本のフィルタシガレットＦＣからなるシガレット束と、シガレット束を包み込むインナラッパ、即ち、柔らかいアルミ蒸着紙１２とを含む。アルミ蒸着紙１２は、紙等からなる薄い基材と、基材の外表面に形成されたアルミニウムの蒸着膜とを有する。更に、アルミ蒸着紙１２はその一部に切り取り領域を有し、切り取り領域は切り取り線により区画されている。図２に示されるように内箱８が開かれ、そして、アルミ蒸着紙１２の切り取り領域が切り取り線に沿って切り離されたとき、シガレット束はインナパック１０の開口から部分的に露出する。【００２１】
内箱８は、インナパック１０の回りにインナブランク１１を折り込むことにより形成され、インナブランク１１はヒートシール可能である。インナブランク１１の折込みは、互いに重ね合わされるラップ部を形成し、このラップ部はヒートシールされることで互いに接着される。【００２２】
図３はインナブランク１１の断面構造を示す。インナブランク１１は、中央の紙からなるベース層１４と、ベース層１４の両面それぞれに接着剤（図示しない）を介して順次重ね合わされた金属層としてアルミ層１６及び樹脂層１８とを含み、樹脂層１８はポリプロピレン（ＰＰ）からなる。アルミ層１６は、シガレット束から発生する芳香や風味の成分を遮蔽する機能を有し、そして、樹脂層１８はヒートシール層として働く。
【００２３】
図２から明らかなように、内箱８は上端に開口を有した箱ボディ２０と、箱ボディ２０の開口を開閉するためのタングリッド２２とを含む。具体的には、タングリッド２２は、箱ボディ２０の開口を覆うリッド部２４と、リッド部２４の前縁から延び、箱ボディ２０における前壁２０ｆの上部を覆うタング部２６と、リッド部２４の後縁から延び、箱ボディ２０の後壁２０ｒにセルフヒンジを介して接続された背壁部２８とを有する。タングリッド２２はセルフヒンジを中心に回動し、箱ボディ２０の開口を開閉する。【００２４】
内箱８の成形後、タングリッド２２は箱ボディ２０に対して分離可能にヒートシールされている。即ち、タングリッド２２のタング部２６、リッド部２４及び背壁部２８は、箱ボディ２０の前壁２０ｆ、箱ボディ２０の左右のインナトップフラップ３０及び箱ボディ２０の左右の側壁にそれぞれ分離可能にヒートシールされる。図２中のハッチングは、タングリッド２２が分離可能にヒートシールされる領域を示す。【００２５】
なお、箱ボディ２０の左右の側壁は、インナブランクのインナサイドフラップ及びアウタサイドフラップを互いに重ね合わせ、これらフラップを分離不能にヒートシールして形成されている。また、箱ボディ２０の底壁は、インナブランクのボトムパネルと左右のインナボトムフラップを重ね合わせ、これらパネル及びフラップを分離不能にヒートシールして形成されている。【００２６】
更に、図２から明らかなように、箱ボディ２０の前壁２０ｆはその上部にＵ字形のアパーチャ３２を有する。内箱８が成形され、そして、箱ボディ２０の前壁２０ｆにタング部２６がヒートシールされたとき、アパーチャ３２はタング部２６により気密に塞がれる。【００２７】
図１から明らかなように外箱２は、外箱２と内箱８との間に確保された収納スペース３４を更に含み、収納スペース３４内に印刷物品として印刷物３６が配置されている。印刷物３６は、例えば印刷済のシートを折り畳んだものであり、このシートにはその片面又は両面にインクにより所望の情報が印刷されている。具体的には、印刷物３６は広告媒体、喫煙説明書又はクーポン等である。この実施例の場合、印刷物３６は内箱８と同一の高さか、又は、内箱８よりも若干低い高さを有し、そして、印刷物３６の幅は内箱８の幅に比べて狭い。【００２８】
図４に示されるように、外箱２の箱ボディ３は、前壁３８、後壁４０、左右の側壁４２及び底壁を有し、これら側壁４２は前述したように外側部分４４及び内側部分４６を有した二重構造をなす。収納スペース３４は、前壁３８、側壁４２の内側部分４６、底壁及び内箱８の前面により規定されている。具体的には、収納スペース３４は、外箱２のためのアウタブランクが内箱８及び印刷物３６の回りに折込まれて、外箱２が形成されると同時に外箱２内に確保される。
【００２９】
収納スペース３４を備えた外箱２の形成をアウタブランクの折込みにより可能にするため、各側壁４２の内側部分４６は折曲部４８を有し、この折曲部４８は印刷物３６に向けて折曲されている。
【００３０】
図５は、外箱２のためのアウタブランク５０を示し、アウタブランク５０の外表面には所望の情報が印刷されている。【００３１】
アウタブランク５０は外箱２の箱ボディ３を形成するためのメインセクション５２と、外箱２のリッド４を形成するためのサブセクション５４とを含む。これらメイン及びサブセクション５２，５４は前述したセルフヒンジ６を形成する２重鎖線の折り目線５６を介して互いに接続されており、また、セクション５２，５４のそれぞれは１点鎖線で示される折込み線により区分された複数のパネル及びフラップを有する。【００３２】
メイン及びサブセクション５２，５４は、通常のヒンジリッドタイプの外箱を形成するアウタブランクと同様なパネル及びフラップのレイアウトを有することから、ここではメイン及びサブセクション５２，５４に関して簡単に説明する。【００３３】
先ず、メインセクション５２はバックパネル５８を有し、このバックパネル５８の上縁は前述した折り目線５６により形成されている。バックパネル５８の下縁にはボトムパネル６０及びフロントパネル６２が折込み線を介して順次接続されている。バックパネル５８、ボトムパネル６０及びフロントパネル６２は箱ボディ３の後壁４０、底壁の一部及び前壁３８をそれぞれ形成する（図１参照）。【００３４】
バックパネル５８及びフロントパネル６２にはその左右に折込み線を介して一対ずつのインナサイドフラップ６４及びアウタサイドフラップ６６が接続されており、これらインナサイドフラップ６４及びアウタサイドフラップ６６は前述した側壁４２を形成する。即ち、インナサイドフラップ６４は側壁４２の内側部分４６を形成し、アウタサイドフラップ６６は側壁４２の外側部分４４を形成する。【００３５】
ボトムパネル６０の両側にはインナボトムフラップ７０がそれぞれ配置されている。これインナボトムフラップ７０は、対応するインナサイドフラップ６４の下縁に折込み線を介して接続され、ボトムパネル６０とともに箱ボディ３の底壁を形成する。【００３６】
一方、サブセクション５４はバックパネル７２を有する。バックパネル６２の下縁もまた折り目線５６により形成され、バックパネル６２，５８は折り目線５６を挟んで配置されている。【００３７】
バックパネル７２の上縁にはトップパネル７４、フロントパネル７６及びインナフロントフラップ７８が折込み線を介して順次接続されている。パックパネル７２及びトップパネル７４はリッド４の後壁及び上壁の一部を形成し、フロントパネル７６及びインナフロントフラップ７８はリッド４の前壁を形成する。【００３８】
トップパネル７４及びフロントパネル７６にはその左右に一対ずつのインナサイドフラップ８０及びアウタサイドフラップ８２が折込み線を介して接続されており、これらインナサイドフラップ８０及びアウタサイドフラップ８２はリッド４の側壁を形成する。【００３９】
更に、トップパネル７４の両側にはインナトップフラップ８４がそれぞれ配置されている。これらインナトップフラップ８４はインナサイドフラップ８０の上縁に折込み線を介して接続され、トップパネル７４とともにリッド４の上壁を形成する。【００４０】
アウタブランク５０のパネル及びフラップが印刷物３６とともに内箱８を収納可能とするのに十分なサイズを有することは言うまでもないが、アウタブランク５０は通常のヒンジリッドタイプの外箱のためのアウタブランクに対し、以下の点で相違する。【００４１】
先ず、図５から明らかなように、各インナサイドフラップ６４の幅は上下方向に隣接するフラップ６６，７０，８０，８２，８４の幅よりも広い。なお、これらフラップ６６，７０，８０，８２，８４の幅は同一である。【００４２】
各インナサイドフラップ６４は１点鎖線で示される折込み線８６を有し、折込み線８６は、フラップ６６，７０，８０，８２，８４の外側縁よりもバックパネル５８側に位置付けられ、インナサイドフラップ６４をバックパネル５８側のインサイド部８７と、前述した折曲片４８を形成するためのアウトサイド部８８とに区分する。【００４３】
折込み線８６は、前述したパネルやフラップを区画するアウタブランク５０の他の折込み線と同様な圧痕線から形成され、アウタブランク５０の裏面側へのアウトサイド部８８の折り曲げを容易にする。また、図４から明らかなようにインサイド部８７の幅は、内箱８の厚みに実質的に等しく、そして、フラップ６６，７０，８０，８２，８４の幅は、内箱８の厚みと印刷物３６の厚みの合計に実質的に等しい。【００４４】
更に、アウトサイド部８８の下縁とインナボトムフラップ７０との間にはこれらアウトサイド部８８とインナボトムフラップ７０とを互いに分離する切込み９０が形成され、そして、アウトサイド部８８の上縁はインナサイドフラップ６４の傾斜縁の延長部を形成する。付け加えれば、図５から明らかなように、サブセクション５４のインナ及びアウタサイドフラップ８０，８２もまた、インナサイドフラップ６４の傾斜縁に対応した傾斜縁をそれぞれ有する。
【００４５】
上述したアウタブランク５０は、通常のヒンジリッドタイプの外箱を形成するアウタブランクの場合と同様な手順にて、内箱８及び印刷物３６の回りに折り込まれる。【００４６】
具体的には、アウタブランク５０の裏面上に印刷物３６を備えた内箱８が供給され、内箱８はアウタブランク５０のバックパネル５８，７２に重ね合わされる。印刷物３６は内箱８の前面の中央、つまり、図１から明らかなように内箱８のタング部２６から箱ボディ２０の前面に亘って載置されている。【００４７】
この状態で、左右のインナサイドフラップ６４及び左右のインナサイドフラップ８０は内箱８の両側面に向けて折り込まれ、これらフラップ６４，８０の折込みと同時に、インナフロントフラップ７８が折り込まれる。インナフロントフラップ７８はフロントパネル７６に重ね合わされ、リッド４の前壁を形成する。この後、インナボトムフラップ７０及びインナトップフラップ８４が内箱８の底及び上面に向けてそれぞれ折り込まれる。【００４８】
次に、ボトムパネル６０が内箱８の底に向けて折り込まれ、そして、ボトムパネル６０は左右のインナボトムフラップ７０に接着される。また、ボトムパネル６０の折込みと同時に、トップパネル７４が内箱８の上面に向けて折り込まれ、トップパネル７４はインナトップフラップ８４のそれぞれに接着される。【００４９】
この時点で、アウタブランク５０は図６に示す状態となり、アウタサイドフラップ６６を備えたフロントパネル６２はボトムパネル６０から上方に延び、そして、アウタサイドフラップ８２を備えたリッド４の前壁（フロントパネル７６及びインナフロントフラップ７８）はトップパネル７４から上方に延びている。【００５０】
図６中のＶ字マークは、フロントパネル６２とボトムパネル６０との間の折込み線、そして、フロントパネル７６とトップパネル７４との間の折込み線をそれぞれ示し、これらＶ字マークの折込み線はインナボトムフラップ７０及びインナトップフラップ８４のそれぞれの上縁に合致している。即ち、図６に示す状態にあるとき、インナボトムフラップ７０及びボトムパネル６０は互いに接着されて、強固な支持壁（箱ボディ３の底壁）を形成しており、一方、インナトップフラップ８４及びトップパネル７４もまた互いに接着されて、強固な支持壁（リッド４の上壁）を形成している。【００５１】
それ故、図６に示される状態からフロントパネル６２及びリッド４の前壁（７６，７８）が図６中の矢印で示す方向に内箱８上の印刷物３６に向けてそれぞれ折り込まれるとき、フロントパネル６２及び前壁（７６，７８）は対応する支持壁の上縁、即ち、それらの折込み線（Ｖ字マーク）に沿って確実に折り込まれる。【００５２】
また、図６に示される状態にあるとき、左右のインナサイドフラップ６４のアウトサイド部８８は印刷物３６から上方に突出し、そして、アウトサイド部８８は切込み９０によりインナボトムフラップ７０から互いに分離されている。それ故、フロントパネル６２が折り込まれたとき、図７から明らかなようにフロントパネル６２は、印刷物３６に接触する前に、左右のアウトサイド部８８に当接し、これらアウトサイド部８８を折込み線８６に沿い図７中の矢印方向、即ち、印刷物３６側に向けて折曲させ、この後、印刷物３６上に載置されて印刷物３６と密着する。この時点で、前述した折曲部４８が形成される（図４参照）。【００５３】
一方、左右のインナサイドフラップ８０は印刷物３６から上方に突出していない。それ故、リッド４の前壁（７６，７８）は、インナサイドフラップ８０と干渉することなく印刷物３６上に載置され、印刷物３６に密着する。【００５４】
この後、フロントパネル６２の左右のアウタサイドフラップ６６及びフロントパネル７６の左右のアウタサイドフラップ８２は対応するインナサイドフラップ６４，８０に向けて折り込まれる。このとき、フロントパネル６２，７６のそれぞれは印刷物３６上に密着した状態で支持されているので、アウタサイドフラップ６６，８２は折込み線に沿って確実に折り込まれる。アウタサイドフラップ６６，８２は対応するインナサイドフラップ６４，８０に重ね合わされ、そして、互いに接着されて外箱２の側壁を形成する。この時点で、アウタブランク５０の折込みが完了し、図１に示されるシガレットパッケージが得られる。この後、シガレットパッケージは必要に応じて、透明フィルムにより包み込まれる。【００５５】
上述したシガレットパッケージによれば、外箱２のリッド４が開かれたとき、図１に示されるように箱ボディ３の開口から内箱８及び印刷物３６が露出する。この後、印刷物３６が箱ボディ３から取出されれば、内箱８におけるタングリッド２２のタング部２６は完全に露出する。この状態で、タングリッド２２がヒートシールによる接着領域の引き剥がしを伴いながら開かれたとき、内箱８の開口からインナパック１０の上部が露出される。この後、インナパック１０におけるアルミ蒸着紙１２の切り取り領域が切り取り線に沿って切り離されたとき、インナパック１０内のフィルタシガレットは図２に示されるように露出され、内箱８、即ち、シガレットパッケージから取出し可能となる。
【００５６】
外箱２内に印刷物３６が収容されていても、インナパック１０は内箱８内に密封されている。それ故、印刷物３６から発生するインク臭がインナパック１０内のフィルタシガレットＦＣに移ってしまうことはない。また、逆に、タングリッド２２が最初に開かれるまでの間、フィルタシガレットＦＣの芳香や風味の成分が内箱８の外部に放出されることもない。従って、フィルタシガレットＦＣの品質は、印刷物３６の存在に拘わらず、長期に亘って維持される。【００５７】
印刷物３６は外箱２に収容されているので、外箱２の外表面の一部を覆うこともない。それ故、外箱２の外表面に印刷された情報は印刷物３６により隠されることなく、消費者により完全に視認される。【００５８】
更に、印刷物３６は印刷済のシートを折り畳んだものであるから、消費者に提供すべき情報の印刷面を十分に有する。【００５９】
更にまた、収納スペース３４はアウタブランク５０の折込みと同時に形成されるので、収納スペース３４をアウタブランク５０以外の部材を利用して形成したり、また、専用の包装機を別途開発する必要もない。この結果、本発明は、印刷物３６を内箱８とともに収納した外箱２、つまり、シガレットパッケージを容易に提供することができる。【００６０】
本発明は、上述の一実施例に制約されるものではなく種々の変形が可能である。
図８に示されるようにシガレットパッケージは多数の芳香カプセル９２を含むことができ、これら芳香カプセル９２は例えば外箱２の内面と印刷物３６との間に配置されている。芳香カプセル９２は外皮と、この外皮内に収容された揮発性芳香剤とを含み、芳香剤は例えばフィルタシガレットＦＣが有する芳香や風味と同様な芳香や風味を発生する。芳香カプセル９２の外皮が破れたとき、芳香カプセル９２は芳香や風味の成分を放出する。【００６１】
具体的には、芳香カプセル９２の外皮は印刷物３６が外箱２から取り出されたときに破れるのが好ましい。これを実現するため、芳香カプセル９２は例えば、外箱２の内面と印刷物３６との双方に接着剤９４で接着されている。印刷物３６が取り出されたとき、芳香カプセル９２の外皮が破け、芳香カプセル９２から芳香や風味の成分が外箱２内に放出される。この結果、消費者は、内箱８のタングリッド２２を開く前に、フィルタシガレットＦＣが有する芳香や風味を味わうことができる。
【００６２】
印刷物３６は必ずしも紙に印刷されたものに限らず、印刷が可能であるならば種々の印刷媒体を使用することができる。
【図３】
0004697890.tif 000002
【図４】
0004697890.tif 000003
【図７】
0004697890.tif 000004
【図８】
0004697890.tif 000005
【図１】
0004697890.tif 000006
【図２】
0004697890.tif 000007
【図５】
0004697890.tif 000008
【図６】
0004697890.tif 000009